(57)【要約】      （修正有）【課題】多様な豪雨に柔軟に対応し、頻発する都市水害を最低限に抑える深掘式下水道を提供する。【解決手段】計画雨水排水量に定められた下水道の底部を、河床程度まで掘り下げ、池状の箱を付け加える。【選択図】図３
0003183033.tif 000002
【実用新案登録請求の範囲】
【請求項１】
局地的短時間に集中する所謂集中豪雨、及び長時間広域的に継続する台風性豪雨に夫々対応出来るための、深堀式下水道施設。
【請求項２】
請求項１の深堀式下水道施設内に下水道の雨水、河川の洪水を共用で調節、貯留する池状の箱を付け加える施設。
【考案の詳細な説明】
【技術分野】
【０００１】  本考案は都市水害被害を低減するために、集中豪雨時には下水道の排水を最大限にし、台風性豪雨時には河川の洪水の遊水機能を発揮することで洪水のピーク流量を低減するために従来の下水道を道路下深く掘り下げ、下水道の排水面積を拡張するとともに、河川の遊水容量を確保するための、深堀式下水道に関する。
【背景技術】
【０００２】  通常、下水道はその決められた計画流量を排水するための最低限の断面積を有する。このため、この能力を超える集中豪雨時には排水能力を超え氾濫する。一方で排水先である河川は、下水道からの雨水排水が排水口以前で氾濫し流入しないことと、集中豪雨が局地的であるため、流域全体としては大きくなく余裕があることが多い。台風性豪雨時には、短時間の降雨量は比較的少ないため下水道は順調に河川に排水されるが、広域的なため、全流域の下水道から潤滑に集まった雨水排水が河川に集中し、河川流量が大きくなり河川で氾濫を起こす。
【考案の開示】
【考案が解決しようとする課題】
【０００３】  集中豪雨や台風性豪雨など多様な降雨に対して、河川、下水道で夫々に柔軟に対応し、都市水害を最小化することを課題とする。
【課題を解決するための手段】
【０００４】  従来の下水道は道路の地下表面直下、もしくは深い管構造をとっている。この断面は下水道の計画流量を満たす面積を要するのみである。これを道路直下より河川の河床近くまで深く掘り下げた深堀式下水道施設、及びその中に設置する下水道の雨水、河川の洪水の両方を調節する貯留層を考案した。
【考案の効果】
【０００５】  従来の下水道施設より、排水面積が大きいことで、集中豪雨時には一般的に低い河川水位に向けての下水道排水量を向上できる。また台風性豪雨の場合には深堀式下水道の空間容量により河川の洪水の遊水効果をもたらし、河川流量を低減する。
雨水・洪水調節池、貯留層を加えると、さらに河川の洪水、下水道の雨水の調節効果が見込める。
【図面の簡単な説明】
【０００６】
【図１】通常の下水道施設と深堀式下水道のイメージ
【図２】集中豪雨時と台風性豪雨時の河川、下水道の洪水、雨水排水のイメージ
【図３】下水道の雨水、河川の洪水共用の貯留層施設
【符号の説明】
【０００７】１  河川断面
２  一般の下水道施設
３  深堀式下水道施設
４  平常、少量の河川水の流入を防止するとともに、下水道の排水量を調整する堰
５  河川水位が高い場合の河川の遊水効果を見込む空間
６  河川の水位が低い場合の下水道の多量な排水
７  洪水・雨水共用貯留層
８  洪水・雨水共用貯留層への越流堰
９  洪水・雨水共用貯留層からの河川水位が下がってからの排水口
１０  道路
【図１】
0003183033.tif 000003
【図２】
0003183033.tif 000004
【図３】
0003183033.tif 000005
【手続補正書】
【提出日】平成24年3月14日(2012.3.14)
【手続補正１】
【補正対象書類名】実用新案登録請求の範囲
【補正対象項目名】全文
【補正方法】変更
【補正の内容】
【実用新案登録請求の範囲】
【請求項１】
集中豪雨時に河川水位が低い場合に、下水道の雨水排水量を大きくし内水氾濫を低減するために、通常の定められた計画雨水排水量により定められた下水道断面を河床程度まで深く掘り下げ、幅も道路の幅など可能な限り広げて大きくした、深堀式下水道。
【請求項２】
下水道の雨水、河川の洪水を共用で調節、貯留する池状の箱を付け加えた請求項１記載の深堀式下水道。
【手続補正２】
【補正対象書類名】明細書
【補正対象項目名】全文
【補正方法】変更
【補正の内容】
【考案の詳細な説明】
【技術分野】
【０００１】  本考案は都市水害被害を低減するために、集中豪雨時には下水道の排水を最大限にし、台風性豪雨時には河川の洪水の遊水機能を発揮することで洪水のピーク流量を低減するために従来の下水道を道路下深く掘り下げ、下水道の排水面積を拡張するとともに、河川の遊水容量を確保するための、深堀式下水道に関する。
【背景技術】
【０００２】  通常、下水道はその決められた計画流量を排水するための最低限の断面積を有する。このため、この能力を超える集中豪雨時には排水能力を超え氾濫する。一方で排水先である河川は、下水道からの雨水排水が排水口以前で氾濫し流入しないことと、集中豪雨が局地的であるため、流域全体としては大きくなく余裕があることが多い。台風性豪雨時には、短時間の降雨量は比較的少ないため下水道は順調に河川に排水されるが、広域的なため、全流域の下水道から潤滑に集まった雨水排水が河川に集中し、河川流量が大きくなり河川で氾濫を起こす。
【考案の開示】
【考案が解決しようとする課題】
【０００３】  集中豪雨や台風性豪雨など多様な降雨に対して、河川、下水道で夫々に柔軟に対応し、都市水害を最小化することを課題とする。
【課題を解決するための手段】
【０００４】  従来の下水道は道路の地下表面直下、もしくは深い管構造をとっている。この断面は下水道の計画流量を満たす面積を要するのみである。これを道路直下より河川の河床近くまで深く掘り下げた深堀式下水道、及びその中に設置する下水道の雨水、河川の洪水の両方を調節する貯留層を考案した。
【考案の効果】
【０００５】  従来の下水道施設より、排水面積が大きいことで、集中豪雨時には一般的に低い河川水位に向けての下水道排水量を向上できる。また台風性豪雨の場合には深堀式下水道の空間容量により河川の洪水の遊水効果をもたらし、河川流量を低減する。
雨水・洪水調節池、貯留層を加えると、さらに河川の洪水、下水道の雨水の調節効果が見込める。
【図面の簡単な説明】
【０００６】
【図１】通常の下水道施設と深堀式下水道のイメージ
【図２】集中豪雨時と台風性豪雨時の河川、下水道の洪水、雨水排水のイメージ
【図３】下水道の雨水、河川の洪水共用の貯留層施設
【符号の説明】
【０００７】１  河川断面
２  一般の下水道
３  深堀式下水道
４  平常、少量の河川水の流入を防止するとともに、下水道の排水量を調整する堰
５  河川水位が高い場合の河川の遊水効果を見込む空間
６  河川の水位が低い場合の下水道の多量な排水
７  洪水・雨水共用貯留層
８  洪水・雨水共用貯留層への越流堰
９  洪水・雨水共用貯留層からの河川水位が下がってからの排水口
１０  道路
【手続補正書】
【提出日】平成24年6月15日(2012.6.15)
【手続補正１】
【補正対象書類名】実用新案登録請求の範囲
【補正対象項目名】全文
【補正方法】変更
【補正の内容】
【実用新案登録請求の範囲】
【請求項１】
集中豪雨時に河川水位が低い場合に、下水道の雨水排水量を大きくし内水氾濫を低減するために、通常の定められた計画雨水排水量により定められた下水道の底部を河床程度まで掘り下げた、深堀式下水道。
【請求項２】
下水道の雨水、河川の洪水を共用で調節、貯留する池状の箱を付け加えた請求項１記載の深堀式下水道。